(57)【要約】【課題】端末器で異常を検知した場合には、中央処理装置から警報が発生するだけでなく、他の端末器から検知した端末器の場所が報知され、異常現場の様子をモニタすることが可能な監視システムを提供する。【解決手段】中央処理装置１は端末器２〜６からの非定常信号を受信すると、端末器選択手段９によって選択された端末器にだけ報知信号を送信し、報知信号を受信した端末器は報知手段２１により検知した端末器の場所を報知し、端末器のモニタ開始手段２２の操作により、中央処理装置１は検知した端末器周辺の音声を受信し、モニタ開始手段２２が操作された端末器に転送するので、検知した端末器の場所を認識した上で、異常現場の様子をモニタすることが可能となる。【選択図】図２
2005301775.tif 000002
【特許請求の範囲】
【請求項１】
定常または非定常の状態を監視する複数の端末器と、前記端末器と通信する１台の中央処理装置とからなる監視システムにおいて、前記中央処理装置は、前記端末器から前記非定常信号を受信すると他の複数端末器の少なくとも１つに前記非定常状態に関する情報を含んだ報知信号を送信し、前記報知信号を受信した端末器は、前記非定常状態に関する情報を報知手段で報知した後、モニタ開始手段によって前記中央処理装置にモニタ開始信号を送信し、前記中央処理装置は前記モニタ開始信号を受信すると、前記非定常信号を送信した端末器の周辺の音声信号を、前記モニタ開始信号を送信した端末器に転送する監視システム。
【請求項２】
中央処理装置はモニタ開始信号を送信する端末器の重要度を設定する重要度設定手段を備え、複数の端末器からモニタ開始信号を受信した場合、前記重要度設定手段により高い重要度を設定した端末器に対し非定常信号を送信した端末器の周辺の音声信号を転送する請求項１記載の監視システム。
【請求項３】
中央処理装置は特定の端末器からのモニタ開始信号を受け付けないようにする受付拒否設定手段を備えた請求項項１または２記載の監視システム。
【請求項４】
中央処理装置は、使用者の操作によって端末器の設置場所を設定できる設置場所設定手段を有し、中央処理装置から送信される報知信号は少なくとも１つの設置場所情報である請求項１〜３のいずれか１項に記載の監視システム。
【請求項５】
端末器からの報知は、予め記憶された少なくとも１つの設置場所情報を含む音声データを用いる請求項４に記載の監視システム。
【請求項６】
中央処理装置はモニタ開始信号を受信した時点からの経過時間を計時する計時手段を備え、前記計時手段が所定時間を計時すると音声信号の転送を終了する請求項１〜５のいずれか１項に記載の監視システム。
【請求項７】
中央処理装置は計時手段が計時する所定時間を設定する時間設定手段を備えた請求項６に記載の監視システム。
【請求項８】
請求項１〜７のいずれか記載の監視システムの少なくとも一つの手段をコンピュータに実行させるためのプログラム。
【発明の詳細な説明】
【技術分野】
【０００１】
本発明は、侵入者やガス漏れなどの異常を端末器が検知した場合に、設置してある他の端末器から、異常が発生したという情報を知覚し、異常現場の状況を確認することが可能な監視システムおよびプログラムに関するものである。
【背景技術】
【０００２】
従来の監視システムは、複数の端末器と警報を発する中央処理装置との組み合わせであり、侵入者やガス漏れをセキュリティ端末器で検知した場合に、中央処理装置から警報を発生させるものであった（例えば、特許文献１参照）。
【特許文献１】特開平８−７０３６１号公報
【発明の開示】
【発明が解決しようとする課題】
【０００３】
しかしながら前記従来の構成では、端末器が侵入者やガス漏れなどの異常を検知した場合に、警報音が発生するのは、中央処理装置だけであり、中央処理装置から離れている場合などには、警報が聞こえにくいなどの課題があった。
【０００４】
また、侵入者が発生した場合に、どの端末器が検知したのかは、中央処理装置でしか確認ができず、中央処理装置からの警報音が聞こえても侵入者があったことだけしかわからず、侵入者が逃げたのか、まだ在室しているのかなどの詳しい状況は侵入現場に行かないとわからなかった。
【０００５】
本発明では、上記従来の課題を解決するためのもので、端末器で異常を検知した場合には、中央処理装置から警報が発生するだけでなく、他の端末器から検知した端末器の場所が報知され、異常現場の様子を音声モニタすることが可能な監視システムおよびプログラムを提供することを目的としている。
【課題を解決するための手段】
【０００６】
上記従来の課題を解決するために、本発明の監視システムは、定常または非定常の状態を監視する複数の端末器と、前記端末器と通信する１台の中央処理装置とからなる監視システムにおいて、前記中央処理装置は、前記端末器から前記非定常信号を受信すると他の複数端末器の少なくとも１つに前記非定常状態に関する情報を含んだ報知信号を送信し、前記報知信号を受信した端末器は、前記非定常状態に関する情報を報知手段で報知した後、モニタ開始手段によって前記中央処理装置にモニタ開始信号を送信し、前記中央処理装置は前記モニタ開始信号を受信すると、前記非定常信号を送信した端末器の周辺の音声信号を、前記モニタ開始信号を送信した端末器に転送するものである。
【０００７】
これによって、異常を検知して非定常信号を送信した端末器以外の端末器から、非定常信号が報知され、さらに、非定常信号を送信した端末器の周辺の音声をモニタすることが可能となる。
【発明の効果】
【０００８】
本発明の監視システムおよびプログラムは、異常を検知した端末器の場所が、他の端末器から認識でき、異常を検知した端末器周辺の音声をモニタすることができるので、異常現場の状況を確認することができ非常に便利である。
【発明を実施するための最良の形態】
【０００９】
第１の発明は、定常または非定常の状態を監視する複数の端末器と、前記端末器と通信する１台の中央処理装置とからなる監視システムにおいて、前記中央処理装置は、前記端末器から前記非定常信号を受信すると他の複数端末器の少なくとも１つに前記非定常状態に関する情報を含んだ報知信号を送信し、前記報知信号を受信した端末器は、前記非定常状態に関する情報を報知手段で報知した後、モニタ開始手段によって前記中央処理装置にモニタ開始信号を送信し、前記中央処理装置は前記モニタ開始信号を受信すると、前記非定常信号を送信した端末器の周辺の音声信号を、前記モニタ開始信号を送信した端末器に転送するものである。
【００１０】
これによって、異常を検知して非定常信号を送信した端末器以外の端末器の報知手段から、非定常信号を送信した端末器の非定常状態に関する情報が報知され、さらに、モニタ開始手段により非定常信号を送信した端末器の周辺の音声をモニタすることが可能となるので、異常現場の状況を確認することができ非常に便利である。
【００１１】
第２の発明は、特に、第１の発明の中央処理装置が、モニタ開始信号を送信する端末器の重要度を設定する重要度設定手段を備え、複数の端末器からモニタ開始信号を受信した場合、前記重要度設定手段により高い重要度を設定した端末器に対し非定常信号を送信した端末器の周辺の音声信号を転送するものである。これにより、例えば書斎に設置した端末器よりも寝室に設置した端末器を優先するなど、端末器に優先度を持たせることが可能で、中央処理装置が複数の端末器からモニタ開始信号を受信した場合、より高い重要度を設定した端末器に対し非定常信号を送信した端末器の周辺の音声信号を転送し、重要度の高い端末器でモニタすることが可能となる。
【００１２】
第３の発明は、特に、第１または第２の発明の中央処理装置は、特定の端末器からのモニタ開始信号を受け付けないようにする受付拒否設定手段を備えたものである。これにより、例えば子供部屋に設置した端末器からのモニタ開始信号を受け付けないように受付拒否設定手段で設定することが可能となり、子供部屋などモニタをさせたくない端末器を設定し、モニタを禁止することができる。
【００１３】
第４の発明は、特に、第１〜３のいずれか１つの発明の中央処理装置は、使用者の操作によって端末器の設置場所を設定できる設置場所設定手段を有し、中央処理装置から送信される報知信号は少なくとも１つの設置場所情報であるようにした。したがって、中央処理装置から送信される報知信号に非定常信号を送信した端末器の設置場所情報も含んで送信することが可能となるので、使用者は非定常信号を送信した端末器の設置場所を認識した上で、非定常信号を送信した端末器周辺の音声をモニタすることが可能となる。
【００１４】
第５の発明は、特に、第４の発明の端末器からの報知は、予め記憶された少なくとも１つの設置情報を含む音声データを用いるようにした。その結果、中央処理装置から端末器の設置場所情報を含んだ報知信号を受信した場合に、端末器から非定常信号を送信した端末器の設置場所を音声で報知するので、使用者は就寝中であっても目覚め、すぐに非定常信号を送信した端末器の設置場所を認識することができ、非定常信号を送信した端末器周辺の音声をモニタすることが可能となる。
【００１５】
第６の発明は、特に、第１〜５のいずれか１つの発明の中央処理装置は、モニタ開始信号を受信した時点からの経過時間を計時する計時手段を備え、前記計時手段が所定時間を計時すると音声信号の転送を終了するようにした。したがって、使用者は計時手段が所定時間を計時している間は、非定常信号を送信した端末器周辺の音声をモニタすることが可能となり、所定時間が経過することにより、操作をしなくてもモニタを終了することができる。
【００１６】
第７の発明は、特に、第６の発明の中央処理装置は、計時手段が計時する所定時間を設定する時間設定手段を備えたので、使用者は非定常信号を送信した端末器周辺の音声をモニタする時間を、使用者の好みに応じて予め設定しておくことが可能となる。
【００１７】
第８の発明は、特に、第１〜７のいずれか１つの発明の監視システムの少なくとも一つの手段をコンピュータに実行させるためのプログラムとした。プログラムであるので、電気・情報機器、コンピュータ、サーバー等のハードリソースを協働させて本発明の監視システムの一部あるいは全てを容易に実現することができる。また記録媒体に記録したり通信回線を用いてプログラムを配信したりすることでプログラムの配布が簡単にできる。
以下、本発明の実施の形態について、図面を参照しながら説明する。なお、この実施の形態によって本発明が限定されるものではない。
【００１８】
（実施の形態１）
図１は本発明の第１の実施の形態における監視システムのシステムブロック図、図２は中央処理装置１の内部ブロック図、図３は端末器２〜６の内部ブロック図、図４は中央処理装置１の要部動作を示すフローチャートである。
【００１９】
図１において、中央処理装置１と、定常または非定常の状態を監視する複数の端末器２〜６の間は無線による通信手段によって通信が行われる。
【００２０】
中央処理装置１を図２において説明する。
【００２１】
データ通信手段７は端末器からの定常または非定常状態に関する情報及び、モニタ開始信号を受信し、端末器に報知信号を送信する。音声通信手段８は音声を変復調して通信を行う。端末器選択手段９は非定常状態に関する情報を含んだ報知信号を送信したい端末器を選択する。重要度設定手段１０はモニタ開始信号を送信してくる端末器の重要度を設定する。受付拒否設定手段１１は特定の端末器からのモニタ開始信号を受け付けないように設定する。設置場所設定手段１２は端末器の設置場所を設定する。計時手段１３はモニタ開始信号を受信した時点からの経過時間を計時する。時間設定手段１４は計時手段１３が計時する時間を設定する。表示部１５は中央処理装置に登録されている端末器の表示や設置場所を設定するための場所名など各種設定に関する表示を行う。制御部１６は中央処理装置全体の動作を制御する。
【００２２】
端末器２〜６を図３において説明する。
【００２３】
侵入検知部１７は侵入者を検知するセンサで、本実施の形態ではリードスイッチを設けている。この端末器を窓やドアの枠に取り付け、可動部である窓ガラスやドア開閉部にこのリードスイッチと対応して開閉させるための磁石を取り付けることにより、窓やドアの開閉を検知することができる。データ通信手段１８は中央処理装置１に定常または非定常状態に関する情報及びモニタ開始信号を送信する。また、中央処理装置１からの報知信号を受信する。端末制御部１９は、端末器の動作を制御するもので、侵入検知部１７からの非定常信号、すなわち侵入が発生したという情報を、中央処理装置１に対して自らの端末器コードと共に、データ通信手段１８を用いて無線によって送信するものである。音声データ記憶部２０は報知する音声を記憶することが可能である。報知手段２１は中央処理装置１からの報知信号をデータ通信手段１８で受信した場合に、端末器制御部１９が制御して、音声データ記憶部２０に記憶されている音声データを報知する。
【００２４】
モニタ開始手段２２は使用者の操作により音声モニタを開始するためのモニタ開始信号を端末制御部１９に出力し、データ通信手段１８を用いて中央処理装置１に送信する。音声通信手段２３は中央処理装置１との間で音声信号を通信する。音声入力手段２４は端末器周辺の音声を集音し、集音された音声は音声通信手段２３で変調されて中央処理装置１に送信される。また、音声出力手段２５は、音声通信手段２３によって受信・復調された音声信号を拡声するものである。
【００２５】
以上のように構成された監視システムについて、以下その動作、作用を説明する。
【００２６】
図４のフローチャートに示すように、中央処理装置１の制御部１６は、ステップ２６にて設置場所設定手段１２により表示部１５に表示されている端末器２〜６の設置されている場所を設定して記憶させる。例えば、「端末器２−居間」、「端末器３−寝室」、「端末器４−書斎」、「端末器５−子供部屋１」、「端末器６−子供部屋２」の様に設定すると、中央処理装置１は、端末器２〜６がどこに設置されているかを認識することが可能となる。
【００２７】
次にステップ２７において、端末器選択手段９により、端末器２〜６からの非定常信号を中央処理装置１が受信した場合に、非定常状態に関する情報を含んだ報知信号を送信し、外部報知をさせたい端末器を選択設定する。この時、端末器３（寝室）及び端末器４（書斎）及び端末器５（子供部屋１）を報知させたい端末器に選択したとする。
【００２８】
次に、ステップ２８において、受付拒否設定手段１１により中央処理装置１が特定の端末器からのモニタ開始信号を受け付けないように設定する。この時、端末器５（子供部屋１）からのモニタ開始信号を受け付けないように設定したとする。
【００２９】
次に、ステップ２９において、重要度設定手段１０により、モニタ開始信号を送信してくる端末器の重要度を設定する。この時、端末器３（寝室）が端末器４（書斎）より重要度を高く設定したとする。
【００３０】
次に、ステップ３０において、時間設定手段１４により、計時手段１３が計時する時間すなわち、中央処理装置１がモニタ開始信号を受信した時点からのモニタ時間を設定する。例えば、１０分に設定したとする。
【００３１】
ステップ３１により警戒動作を開始すると、中央処理装置１はステップ３２にて、端末器２〜６からの非定常状態に関する情報を待ち受ける待機状態となる。
【００３２】
今、侵入者が発生し、端末器２の侵入検知部１７で侵入者を検知したとすると、端末器２は非定常状態に関する情報をデータ通信手段１８により中央処理装置１に送信する。中央処理装置１のデータ通信手段７が端末器２からの非定常状態に関する情報を受信すると、ステップ３３にて、端末器選択手段９で選択された端末器３〜５に、設置場所設定手段１２で設定された設置場所情報を含んだ報知信号を送信する。
【００３３】
中央処理装置１からの報知信号を受信した端末器３〜５は、受信した報知信号の情報から、音声データ記憶部２０に記憶されている音声データを報知手段２１から外部に報知する。例えば、端末器２が居間に設置されていると設定した場合には、端末器３〜５から「居間で異常が発生しました」のような音声が報知されることになる。
【００３４】
この端末器３〜５からの音声報知により、異常を認識した使用者がモニタ開始手段２２を操作すると、データ通信手段１８により音声モニタを開始するためのモニタ開始信号を中央処理装置１に送信する。
【００３５】
中央処理装置１は、ステップ３４において、受付拒否設定手段１１で設定した端末器５以外の端末器、すなわち端末器３または端末器４からのモニタ開始信号を待ち受けており、データ通信手段７が端末器３または端末器４からのモニタ開始信号を受信すると、ステップ３５にて、計時手段１３を作動させ計時を開始する。
【００３６】
また、ステップ３６にて、報知手段２１からの報知を停止させる信号を端末器３〜５に送信する。端末器３〜５は、データ通信手段１８がこの信号を受信して端末制御部１９が報知手段２１による報知を停止させる。
【００３７】
次に、ステップ３７において、中央処理装置１は重要度設定手段１０で端末器３が端末器４より高く設定されている場合、ステップ３８ａにて端末器３からモニタ開始信号を受信したのかを判断する。
【００３８】
端末器３からモニタ開始信号を受信している場合、ステップ３９ａにおいて、中央処理装置１のデータ通信手段７が侵入者を検知した端末器２に対してモニタ開始信号を送信する。端末器２のデータ通信手段１８がこのモニタ開始信号を受信すると、音声入力手段２４は端末器２の周辺の音声を集音し、集音された音声は音声通信手段２３で変調されて中央処理装置１に送信される。
【００３９】
ステップ４０ａにおいて、中央処理装置１の音声通信手段８が、端末器２の音声通信手段２３から送信された音声信号を受信し、端末器３に転送する。そして端末器３の音声出力手段２５は、音声通信手段２３が受信・復調した音声信号を拡声し、端末器２周辺の音声モニタを開始する。
【００４０】
ステップ４１ａにおいて、計時手段１３が時間設定手段１４により設定した１０分を計時したか判断し、１０分を計時すると、ステップ４２において、データ通信手段７が端末器２及び端末器３に対してモニタを終了する信号を送信する。
【００４１】
端末器２がモニタを終了する信号を受信すると音声入力手段２４を停止させ、データ通信手段１８が音声信号の送信を停止し、端末器３がモニタを終了する信号を受信すると音声出力手段２５を停止させ、モニタを終了する。
【００４２】
一方、ステップ３８ａにおいて、端末器３からモニタ開始信号を受信せず、端末器４からモニタ開始信号を受信している場合は、ステップ３９ｂにおいて中央処理装置１のデータ通信手段７が侵入者を検知した端末器２に対してモニタ開始信号を送信する。
【００４３】
端末器２のデータ通信手段１８がこのモニタ開始信号を受信すると、音声入力手段２４は端末器２の周辺の音声を集音し、集音された音声は音声通信手段２３で変調されて中央処理装置１に送信される。
【００４４】
ステップ４０ｂにおいて、中央処理装置１の音声通信手段８が、端末器２の音声通信手段２３から送信された音声信号を受信し、端末器４に転送する。そして端末器４の音声出力手段２５は、音声通信手段２３が受信・復調した音声信号を拡声し、端末器２周辺の音声モニタを開始する。
【００４５】
ステップ４１ｂにおいて、計時手段１３が時間設定手段１４により設定した１０分を計時したか判断し、１０分を計時すると、ステップ４２において、データ通信手段７が端末器２及び端末器３に対してモニタを終了する信号を送信する。
【００４６】
端末器２がモニタを終了する信号を受信すると音声入力手段２４を停止させ、データ通信手段１８が音声信号の送信を停止し、端末器３がモニタを終了する信号を受信すると音声出力手段２５を停止させ、モニタを終了する。
【００４７】
次に、ステップ４３において、警戒動作が解除されたか判断し、解除されていれば警戒動作を終了する。
【００４８】
以上のように、本実施の形態においては、異常を検知した端末器の場所が、他の端末器から音声で報知されるので、近くに設置されている端末器から、即時に異常が発生した場所を特定することができる。
【００４９】
また、モニタ開始手段２２の操作によって、異常を検知した端末器周辺の音声をモニタすることが可能になるので、侵入現場に行かなくても、侵入者が逃げたのか、まだ在室しているのかなどの詳しい状況を知ることができ、侵入現場の状況に応じて対処することができる。
【００５０】
また、異常が発生した場合に、異常発生の報知をさせるか否かを端末器ごとに選択できるため、例えば、就寝中の年齢の小さな子供は起こしたくない場合などには、子供部屋に設置した端末器を選択しないことで、子供部屋の端末器からは報知をしないため便利である。
【００５１】
また、受付拒否設定手段１１により、特定の端末器からのモニタ開始信号を受け付けないようにすることができるので、例えば、年齢の大きい子供のいる子供部屋の端末器からは異常の発生を報知して注意を呼びかけるが、侵入現場の詳しい状況までは知らせたくない場合などに受付拒否設定手段１１によりモニタを禁止することができる。
【００５２】
また、重要度設定手段１０により、端末器ごとに他の端末器との相対的なモニタ開始信号の重要度を設定できるようにしたため、例えば書斎に設置した端末器よりも寝室に設置した端末器を優先するなど、端末器に優先度を持たせることが可能で、中央処理装置が複数の端末器からモニタ開始信号を受信した場合、より高い重要度を設定した端末器に対し異常を検知した端末器の周辺の音声信号を転送し、重要度の高い端末器でモニタすることが可能となる。
【００５３】
また、時間設定手段１４によりモニタをする時間を使用者の好みに応じて予め設定することが可能で、計時手段１３が設定した時間を計時することにより、操作をしなくてもモニタを終了することができる。
【００５４】
なお、本実施の形態では、端末器２〜６の侵入検知部１７にリードスイッチを設けているため、窓やドアが開閉された時に侵入者が発生したという非定常信号を送信しているが、また侵入検知部１７が焦電センサで人体を検知した場合に非定常信号すなわち侵入者が発生したという非定常信号を送信しても同様の効果を有するものである。
【００５５】
また、本実施の形態では通信媒体として無線を用いているが、専用線による有線通信、電灯線搬送通信、赤外線通信、光ファイバ通信など、いずれも通信媒体を用いても同様の効果を有するものである。
【００５６】
また、本実施の形態では報知手段２１と音声出力手段２５とを別々にして説明したが、一つの手段で兼ね備えても良い。また、データ通信手段７、１８と音声通信手段８、２３をひとつにまとめて通信手段としてもよい。
【００５７】
また、本実施の形態ではデータ通信手段と音声通信手段とを別々にして説明したが、一つの手段で兼ね備えても良い。通信手段を共通とし、通信する情報をデータ通信と音声通信に切り換える方法でも良い。
【００５８】
なお、本実施の形態では、複数の端末器のうち、特定の端末器に非定常状態に関する情報を含んだ報知信号を送信するように選択することが可能な端末器選択手段を有し、端末器からの非定常信号を受信すると、端末器選択手段によって選択された端末器にだけ報知信号を送信することを説明したが、端末器選択手段を備えていなくても、端末器からの非定常信号を受信すると予め設定した端末器あるいは全ての端末器で報知するようにしてもよい。
【００５９】
また、本発明は、監視システムの少なくとも一つの手段をコンピュータに実行させるためのプログラムを提供するものであり、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６０】
以上のように、本発明にかかる監視システムおよびプログラムは、異常を検知した端末器の異常情報が、他の端末器から認識でき、異常を検知した端末器周辺の音声をモニタすることができるので、例えば、一般家庭のセキュリティなどへの利用が大いに期待できるものである。
【図面の簡単な説明】
【００６１】
【図１】本発明の実施の形態１における監視システムのシステムブロック図
【図２】本発明の実施の形態１における監視システムの中央処理装置の内部ブロック図
【図３】本発明の実施の形態１における監視システムの端末器の内部ブロック図
【図４】本発明の実施の形態１における監視システムの中央処理装置の動作フローチャート
【符号の説明】
【００６２】
１  中央処理装置
２、３、４、５、６  端末器
７、１８  データ通信手段
８、２３  音声通信手段
９  端末器選択手段
１０  重要度設定手段
１１  受付拒否設定手段
１２  設置場所設定手段
１３  計時手段
１４  時間設定手段
２１  報知手段
２２  モニタ開始手段
【図１】
2005301775.tif 000003
【図２】
2005301775.tif 000004
【図３】
2005301775.tif 000005
【図４】
2005301775.tif 000006